【手続補正書】
【提出日】平成27年11月6日(2015.11.6)
【手続補正１】
【補正対象書類名】特許請求の範囲
【補正対象項目名】全文
【補正方法】変更
【補正の内容】
【特許請求の範囲】
【請求項１】
オンラインソーシャルネットワークのソーシャルネットワーキングシステムに関連付けられている１以上のプロセッサが、
ユーザのクライアントデバイスから前記ユーザが前記ユーザのクライアントデバイスのサーチツールにアクセスしていることを示す標識を受信する工程であって、前記標識は前記ユーザがサーチクエリまたは前記サーチクエリの一部を前記サーチツールに入力する前に受信され、前記ユーザは前記オンラインソーシャルネットワークの会員である、受信工程と、
前記ユーザがサーチツールにアクセスしていることを示す前記標識の受信に応答して、前記ソーシャルネットワーキングシステムによって記憶されている前記ユーザに関する既知の情報に基づき１組のサーチ結果を前記ユーザに提示するために編集する工程であって、前記サーチ結果は、前記ユーザがサーチクエリまたは前記サーチクエリの一部をサーチツールに入力する前に編集され、各サーチ結果は、前記サーチ結果に適用可能な１以上のコールトゥアクション要素に関連付けられており、各コールトゥアクション要素は、前記ソーシャルネットワーキングシステムを通じて前記サーチ結果に関連する特定の機能またはプロセスを開始する、前記ユーザによるアクションを促す、ユーザインタフェース要素である、編集工程、と、
前記ユーザに提示するための前記コールトゥアクション要素による前記１組のサーチ結果を前記ユーザのクライアントデバイスに送信する工程であって、前記コールトゥアクション要素は、対応するサーチ結果の近傍において前記ユーザに提示される、送信工程と、を含む方法。
【請求項２】
前記ユーザに関する既知の情報は前記ユーザの人口統計データ、ソーシャルコネクション、関心、趣味、過去のアクション、挙動パターン、およびカレンダー入力を含む、請求項１に記載の方法。
【請求項３】
前記１組のサーチ結果は、前記ユーザが前記サーチツールにアクセスした時間にさらに基づき編集される、請求項１に記載の方法。
【請求項４】
前記１組のサーチ結果は、前記ユーザが前記サーチツールにアクセスした位置にさらに基づき編集される、請求項１に記載の方法。
【請求項５】
前記ユーザに関する既知の情報に基づき前記１組のサーチ結果をランク付けする工程をさらに含む、請求項１に記載の方法。
【請求項６】
前記１組のサーチ結果のうちの１以上のサーチ結果の各々に対して、
前記ユーザに関する既知の情報に基づき前記１組のサーチ結果のうちの各サーチ結果に対して前記１以上の適用可能なコールトゥアクション要素を識別する工程と、
前記コールトゥアクション要素の前記サーチ結果に対する好適度に基づいて、かつ、前記オンラインソーシャルネットワークにおける前記ユーザと前記サーチ結果に関連付けられた別のユーザとの間の少なくとも１つの関係にさらに基づいて、前記コールトゥアクション要素をランク付けする工程と、
適用可能な前記サーチ結果とともに、ランク付けされた前記１以上のコールトゥアクション要素を提示する工程とをさらに含む、請求項１に記載の方法。
【請求項７】
前記ユーザによって前記サーチツールに提出されたサーチクエリを受信する工程と、
前記サーチクエリに応答して新たな組のサーチ結果を識別する工程と、
前記１組のサーチ結果を置換して前記新たな組のサーチ結果を前記ユーザに提示する工程とをさらに含む、請求項１に記載の方法。
【請求項８】
前記送信工程は、少なくとも１つの最高ランクのコールトゥアクション要素を前記サーチ結果に関連付けることを含む、請求項１に記載の方法。
【請求項９】
前記コールトゥアクション要素の１つは、前記サーチ結果に関して前記ユーザによって実行される可能性のあるアクションに対応する、請求項１に記載の方法。
【請求項１０】
前記コールトゥアクション要素の１つは、前記サーチ結果に関して前記ユーザにとって実行するのに好都合なアクションに対応する、請求項１に記載の方法。
【請求項１１】
前記コールトゥアクション要素の１つは、前記サーチ結果に関して前記ソーシャルネットワーキングシステムが前記ユーザに実行するよう奨励するアクションに対応する、請求項１に記載の方法。
【請求項１２】
複数のノードおよび前記ノード同士を接続している複数のエッジを備えるグラフデータ構造にアクセスする工程であって、前記ユーザは前記複数のノードのうちの第１ノードに対応しており、前記１以上のサーチ結果は前記複数のノードの１以上の第２ノードにそれぞれ対応している、アクセス工程をさらに含む、請求項１に記載の方法。
【請求項１３】
オンラインソーシャルネットワークのソーシャルネットワーキングシステムであって、前記ソーシャルネットワーキングシステムは、１以上のプロセッサによって実行可能な命令を含むメモリを備え、前記１以上のプロセッサは前記メモリに結合されており、および前記命令を実行するように動作可能であり、前記１以上のプロセッサは、前記命令を実行するとき、
ユーザのクライアントデバイスから前記ユーザが前記ユーザのクライアントデバイスのサーチツールにアクセスしていることを示す標識を受信する工程であって、前記標識は前記ユーザがサーチクエリまたは前記サーチクエリの一部を前記サーチツールに入力する前に受信され、前記ユーザは前記オンラインソーシャルネットワークの会員である、受信工程と、
前記ユーザがサーチツールにアクセスしていることを示す前記標識の受信に応答して、前記ソーシャルネットワーキングシステムによって記憶されている前記ユーザに関する既知の情報に基づき１組のサーチ結果を前記ユーザに提示するために編集する工程であって
、前記サーチ結果は、前記ユーザがサーチクエリまたは前記サーチクエリの一部をサーチツールに入力する前に編集され、各サーチ結果は、前記サーチ結果に適用可能な１以上のコールトゥアクション要素に関連付けられており、各コールトゥアクション要素は、前記ソーシャルネットワーキングシステムを通じて前記サーチ結果に関連する特定の機能またはプロセスを開始する、前記ユーザによるアクションを促す、ユーザインタフェース要素である、編集工程と、
前記ユーザに提示するための前記コールトゥアクション要素による前記１組のサーチ結果を前記ユーザのクライアントデバイスに送信する工程であって、前記コールトゥアクション要素は、対応するサーチ結果の近傍において前記ユーザに提示される、送信工程とが行われるように動作可能である、システム。
【請求項１４】
前記ユーザに関する既知の情報は、前記ユーザの人口統計データ、ソーシャルコネクション、関心、趣味、過去のアクション、挙動パターン、およびカレンダー入力を含む、請求項１３に記載のシステム。
【請求項１５】
前記１組のサーチ結果は、前記ユーザが前記サーチツールにアクセスした時間にさらに基づき編集される、請求項１３に記載のシステム。
【請求項１６】
前記１組のサーチ結果は、前記ユーザが前記サーチツールにアクセスした位置にさらに基づき編集される、請求項１３に記載のシステム。
【請求項１７】
前記１以上のプロセッサは、前記命令を実行するとき、
前記ユーザに関する既知の情報に基づき前記１組のサーチ結果をランク付けする工程が行われるようにさらに動作可能である、請求項１３に記載のシステム。
【請求項１８】
前記１以上のプロセッサは、前記命令を実行するとき、
前記１組のサーチ結果のうちの１以上のサーチ結果の各々に対して、
前記ユーザに関する既知の情報に基づき前記１組のサーチ結果のうちの各サーチ結果に対して適用可能な前記１以上のコールトゥアクション要素を識別する工程と、
前記コールトゥアクション要素の前記サーチ結果に対する好適度に基づいて、かつ、少なくとも１つの前記オンラインソーシャルネットワークにおける前記ユーザと前記サーチ結果に関連付けられた別のユーザとの間の関係にさらに基づいて、前記コールトゥアクション要素をランク付けする工程と、
適用可能な前記サーチ結果とともに、ランク付けされた前記１以上のコールトゥアクション要素を提示する工程とが行われるようにさらに動作可能である、請求項１３に記載のシステム。
【請求項１９】
ソフトウェアを具現化している１以上の非一時的なコンピュータ可読記憶媒体であって、前記ソフトウェアは、オンラインソーシャルネットワークのソーシャルネットワーキングシステムによって実行されるとき、
ユーザのクライアントデバイスから前記ユーザが前記ユーザのクライアントデバイスのサーチツールにアクセスしていることを示す標識を受信する工程であって、前記標識は前記ユーザがサーチクエリまたは前記サーチクエリの一部を前記サーチツールに入力する前に受信され、前記ユーザは前記オンラインソーシャルネットワークの会員である、受信工程と、
前記ユーザがサーチツールにアクセスしていることを示す前記標識の受信に応答して、前記ソーシャルネットワーキングシステムによって記憶されている前記ユーザに関する既知の情報に基づき１組のサーチ結果を前記ユーザに提示するために編集する工程であって、前記サーチ結果は、前記ユーザがサーチクエリまたは前記サーチクエリの一部をサーチツールに入力する前に編集され、各サーチ結果は、前記サーチ結果に適用可能な１以上の
コールトゥアクション要素に関連付けられており、各コールトゥアクション要素は、前記ソーシャルネットワーキングシステムを通じて前記サーチ結果に関連する特定の機能またはプロセスを開始する、前記ユーザによるアクションを促す、ユーザインタフェース要素である、編集工程と、
前記ユーザに提示するための前記コールトゥアクション要素による前記１組のサーチ結果を前記ユーザのクライアントデバイスに送信する工程であって、前記コールトゥアクション要素は、対応するサーチ結果の近傍において前記ユーザに提示される、送信工程とが行われるように動作可能である、媒体。